(57)【要約】【課題】軽量かつ安価で、しかも、変形し難い冷凍装置のフレーム構造を提供すること。【解決手段】変形チャネル状断面を有する枠部材１と、この枠部材１に略直角に接続されて大略波形断面を有する梁部材２と、枠部材１と梁部材２との接合部分近傍に設けられてＬ字形断面を有する吊り部材３とを備える。補強部材の垂直部４ｂには、枠部材の突出片１ｄが嵌り込む切り欠き４ｄが設けられている。補強部材４は、プレス加工で形成されて複雑な断面をなす枠部材１と、梁部材２とを確実に接続して、枠部材１と、梁部材２と、吊り部材３とを効果的に補強する。【選択図】  図１
2004163035.tif 000002
【特許請求の範囲】
【請求項１】
第１水平フランジ（１ａ）と、第２水平フランジ（１ｃ）と、垂直ウェブ（１ｂ）とで断面コ字形状をなすと共に、上記第２水平フランジ（１ｃ）の先端から屈曲して上記垂直ウェブ（１ｂ）に略平行に伸びる突出片（１ｄ）を有する変形チャネル状の枠部材（１）と、
縦ウェブ（２ｂ）と水平フランジ（２ｃ）を有し、対向する上記枠部材（１）に連結した梁部材（２）と、
上記枠部材（１）と梁部材（２）との接合部の近傍において、上記枠部材（１）の外面に固定される取り付け部（３ａ）を有する吊り部材（３）と、
上記枠部材（１）の上記突出片（１ｄ）が嵌り込む切り欠き（４ｄ）を有すると共に、一端に、上記吊り部材の取り付け部（３ａ）が固定された枠部材（１）の内面に固定される第１フランジ（４ａ）を有する一方、上端は、上記梁部材（２）に直接あるいは第２フランジ（４ｃ）を介して固定される垂直部（４ｂ）を有する補強部材（４）と
を備えることを特徴とする冷凍装置のフレーム構造。
【発明の詳細な説明】
【０００１】
【発明の属する技術分野】
本発明は、冷凍装置のフレーム構造に関する。
【０００２】
【従来の技術】
従来、冷凍装置のフレーム構造としては、外装板で囲まれた箱体の四隅に角パイプからなる柱を立設し、この柱の上端近傍に貫通孔を設け、この貫通孔にアイボルトを設けたものがある（例えば特許文献１参照）。上記アイボルトにワイヤロープを掛けて、この冷凍装置をクレーン等で吊って搬入および搬出作業を行なうようにしている。
【０００３】
しかしながら、上記従来の冷凍装置のフレーム構造は、上記柱の上端に設けたアイボルトにワイヤを掛けて吊るので、上記柱としての角パイプは、比較的大きい剛性が必要であり、また、互いに強固に連結される必要がある。したがって、上記角パイプの大型化や、上記角パイプを互いに連結する梁の大型化を招いて、上記冷凍装置のフレーム構造の重量増や、コストアップを招くという不都合がある。
【０００４】
そこで、従来、図２に示すような冷凍装置のフレーム構造が提案されている。このフレーム構造は冷凍装置の底フレーム１０に用いられており、この底フレーム１０は、変形チャネル状の枠部材１，１…によって形成された略矩形の枠１１を備える。対向する上記枠部材１に、概略波形断面を有する梁部材２を連結している。上記枠１１の４隅の近傍かつ上記枠部材１と梁部材２との接合部の近傍に、概略Ｌ字形断面を有する吊り部材３，３…を設けている。上記枠部材１、梁部材２および吊り部材３は、いずれもプレス加工で形成している。
【０００５】
図３は、図２のＡ−Ａ線における断面図であり、上記吊り部材３の上記枠部材１１への取り付け部分を拡大して示した図である。図３に示すように、上記枠部材１と梁部材２との接合部分の近傍において、上記吊り部材の取り付け部３ａを、上記枠部材の垂直ウェブ１ｂの外面に、図示しないボルト（ボルトの中心線のみ図示する）によって固定している。上記吊り部材の取り付け部３ａには、この取り付け部３ａに略直角をなす突出部３ｂが連なり、この突出部３ｂの略中央に貫通孔３ｃが設けられている。
【０００６】
上記底フレーム１０と、この底フレーム１０上に設けた柱および梁とで冷凍機器を支持して冷凍装置を形成する。そして、図４に示すように、上記底フレーム１０の吊り部材３の貫通孔３ｃにワイヤ１４を掛けて、この冷凍装置をクレーン等によって吊り上げるようにしている。このように底フレーム１０の吊り部材３を介して冷凍装置を吊って、上記冷凍装置の重量を上記底フレーム１０に主に作用させることによって、この底フレーム１０上に設けた柱および梁を小型化すると共に、上記底フレーム１０の構成部材をプレス加工で形成して、冷凍装置の軽量化とコストダウンを図るようにしている。
【０００７】
【特許文献１】
特開昭６３−１７６９６０号公報（第１図）
【０００８】
【発明が解決しようとする課題】
しかしながら、上記従来の冷凍装置のフレーム構造は、上記吊り部材３の取り付け部３ａを上記枠部材の垂直ウェブ１ｂにボルトで固定しているので、上記吊り部材３を介して冷凍装置を吊った時、上記枠部材１が変形し易いという問題がある。
【０００９】
そこで、本発明の目的は、軽量かつ安価で、しかも、変形し難い冷凍装置のフレーム構造を提供することにある。
【００１０】
【課題を解決するための手段】
上記目的を達成するため、請求項１の発明の冷凍装置のフレーム構造は、第１水平フランジと、第２水平フランジと、垂直ウェブとで断面コ字形状をなすと共に、上記第２水平フランジの先端から屈曲して上記垂直ウェブに略平行に伸びる突出片を有する変形チャネル状の枠部材と、
縦ウェブと水平フランジを有し、対向する上記枠部材に連結した梁部材と、
上記枠部材と梁部材との接合部の近傍において、上記枠部材の外面に固定される取り付け部を有する吊り部材と、
上記枠部材の上記突出片が嵌り込む切り欠きを有すると共に、一端に、上記吊り部材の取り付け部が固定された枠部材の内面に固定される第１フランジを有する一方、上端は、上記梁部材に直接あるいは第２フランジを介して固定される垂直部を有する補強部材と
を備えることを特徴としている。
【００１１】
請求項１の発明の冷凍装置のフレーム構造によれば、対向する変形チャネル状の枠部材に、梁部材が連結される。この枠部材と梁部材との接合部の近傍で、上記枠部材の外面に、上記吊り部材の取り付け部が取り付けられる。また、上記枠部材の内面には、上記補強部材の第１フランジが取り付けられ、この補強部材の垂直部の上端が、上記梁部材に直接あるいは第２フランジを介して固定される。上記補強部材の垂直部には、上記枠部材の突出片が嵌り込む切り欠きが設けられている。したがって、この補強部材は、上記突出片を有して比較的強度が大きい枠部材と、上記梁部材とに確実に取り付けられる。
【００１２】
上記冷凍装置のフレーム構造を用いて冷凍装置を形成し、この冷凍装置が、上記冷凍装置のフレーム構造の吊り部材を介して、ワイヤ等で吊り上げられる。ここで、上記吊り部材の取り付け部が外面に取り付けられている上記枠部材は、内面に上記補強部材の第１フランジが取り付けられている。また、上記補強部材は、上記垂直部が直接あるいは第２フランジを介して上記梁部材に固定されている。これによって、上記補強部材によって、上記吊り部材、枠部材および梁部材の剛性が向上される。したがって、本発明の冷凍装置のフレーム構造は、上記吊り部材を介して吊り上げられても、上記枠部材に従来におけるような変形が殆ど生じない。
【００１３】
【発明の実施の形態】
以下、本発明を図示の実施の形態により詳細に説明する。
【００１４】
図１は、本発明の実施形態の冷凍装置のフレーム構造を示す図である。本実施形態の冷凍装置のフレーム構造を用いて、図２と同様の底フレーム１０を構成する。すなわち、枠部材１，１…によって略矩形の枠１１を形成し、対向する上記枠部材１に梁部材２を連結する。上記枠１１の４隅の近傍であって上記枠部材１と梁部材２との接合部の近傍に、断面Ｌ字形状の吊り部材３を夫々配置する。
【００１５】
図１は、本実施形態の冷凍装置のフレーム構造を用いて形成した図２と同様の底フレーム１０のＡ−Ａ断面における断面図である。本実施形態の冷凍装置のフレーム構造は、図１に示すように、枠部材１と、梁部材２と、上記枠部材１および梁部材２に固定された補強部材４と、吊り部材３とを備える。
【００１６】
上記枠部材１は、第１水平フランジ１ａと、第２水平フランジ１ｃと、垂直ウェブ１ｂとで断面コ字形状をなすと共に、上記第２水平フランジ１ｃの先端から屈曲して上記垂直ウェブ１ｂに略平行に伸びる突出片１ｄを有して、変形チャネル状断面を有する。
【００１７】
上記梁部材２は、水平部２ａと、この水平部２ａの幅方向両側に各々連なる２つの縦ウェブとしての傾斜部２ｂと、この２つの傾斜部２ｂに夫々連なると共に上記水平部２ａに略平行な縁部２ｃとを有して、概略波形断面を有する。上記梁部材の縁部２ｃを、上記枠部材の第２水平フランジ１ｃに、図示しないボルトによって固定している。
【００１８】
上記吊り部材３は、上記枠部材の垂直ウェブ１ｂの外面に取り付けられる取り付け部３ａと、この取り付け部３ａに略直角をなして連なる突出部３ｂと、この突出部３ｂの略中央に設けられた貫通孔３ｃとを有する。この吊り部材３は、上記底フレーム１０の平面においてＬ字形状または逆Ｌ字形状をなすように、上記枠部材１に取り付けられている。
【００１９】
上記補強部材４は、上記枠部材の垂直ウェブ１ｂの内面に取り付けられる第１フランジ４ａと、この第１フランジ４ａに連なると共に、上記枠部材１の長手方向と略直角をなす垂直部４ｂと、この垂直部４ｂの上端に連なると共に、上記梁部材の水平部２ａに取り付けられる第２フランジ４ｃとを有する。また、この補強部材４は、上記垂直部４ｂに、上記枠部材の突出片１ｄが嵌り込む切り欠き４ｄが設けられている。
【００２０】
上記補強部材４は、上記吊り部材の取り付け部３ａが外面に取り付けられた上記枠部材の垂直ウェブ１ｂの内面であって、上記吊り部材の取り付け部３ａの略裏側に、第１フランジ４ａが取り付けられている。上記補強部材４と、枠部材１と、吊り部材３とは、一体に固定している。すなわち、上記補強部材の第１フランジ４ａと、上記枠部材の垂直ウェブ１ｂと、上記吊り部材の取り付け部３ａとを貫通する貫通孔を設け、この貫通孔を貫通するボルト（ボルトの中心線のみ図示する）とナットとで、上記補強部材４、枠部材１および吊り部材３を固定している。
【００２１】
また、この補強部材の第２フランジ４ｃと上記梁部材の縁部２ｃとを、ボルト（ボルトの中心線のみ図示する）およびナットで固定している。
【００２２】
上記枠部材１、梁部材２、吊り部材３および補強部材４は、いずれもプレス加工で形成している。
【００２３】
上記構成の冷凍装置のフレーム構造を用いて形成された底フレーム１０の四隅に柱を各々立設し、これらの柱の上端の間に梁を設置する。上記底フレーム１０、柱および梁によって冷凍機器を支持して、冷凍装置を形成する。そして、図４に示すように、上記底フレームの吊り部材の貫通孔３ｃにワイヤ１４を掛けて、この冷凍装置をクレーン等によって吊り上げる。
【００２４】
上記吊り部材３を介して冷凍装置を吊る時、上記吊り部材の取り付け部３ａから上記枠部材の垂直ウェブ１ｂに、図１において右回りのモーメントが作用する。ここで、上記吊り部材の取り付け部３ａと枠部材の垂直ウェブ１ｂは、ボルトおよびナットで上記補強部材の第１フランジ４ａと一体に固定されている。また、この補強部材４は、第２フランジ４ｃが梁部材の水平部２ａにボルトおよびナットで固定されている。すなわち、上記補強部材４によって、上記吊り部材３と枠部材１と梁部材２とが互いに連結されて補強されている。したがって、上記枠部材の垂直ウェブ１ｂに右回りのモーメントが作用しても、この枠部材１は殆ど変形しない。その結果、従来におけるような枠部材の変形などの不都合が無く、底フレーム１０の吊り部材３を介して冷凍装置を安全に吊ることができる。
【００２５】
また、本実施形態の冷凍装置のフレーム構造を構成する枠部材１、梁部材２、吊り部材３および補強部材４は、プレス加工で形成できるので、この冷凍装置のフレーム構造による底フレーム１０を軽量化すると共にコストダウンできる。つまり、プレス加工で形成可能な比較的薄い材料で形成した枠部材１は、垂直ウェブ１ｂの略法線方向の曲げ強度が比較的小さいにも拘らず、上記補強部材４によって効果的に補強されるので、必要かつ十分な強度を確保しつつ、軽量化とコストダウンが効率良く実行できるのである。
【００２６】
また、上記補強部材４は、垂直部４ｂに、枠部材の突出片１ｄが嵌り込む切り欠き４ｄを備える。したがって、上記補強部材４は、プレス加工で形成されて比較的複雑な形状を有する枠部材１と、梁部材２とを、上記補強部材の垂直部４ｂが上記枠部材の突出片１ｄに接触することなく、確実に固定することができる。
【００２７】
上記実施形態において、梁部材２は波形断面を有したが、例えばＩ形やＨ形やコ字形等の他の形状の断面を有してもよい。上記梁部材２がＨ形断面およびコ字形断面を有する場合、この梁部材２の垂直をなす部分に、補助部材の垂直部４ｂをボルトなどで直接固定することができる。この場合、上記補助部材のフランジ４ｃが削除できる。
【００２８】
また、上記吊り部材３は、取り付け部３ａと、貫通孔３ｃが設けられた突出部３ｂとを備えたが、上記突出部３ｂに代えて、例えばフック等を備えてもよい。
【００２９】
【発明の効果】
以上より明らかなように、請求項１の発明の冷凍装置のフレーム構造によれば、第１水平フランジと、第２水平フランジと、垂直ウェブとで断面コ字形状をなすと共に、上記第２水平フランジの先端から屈曲して上記垂直ウェブに略平行に伸びる突出片を有する変形チャネル状の枠部材と、縦ウェブと水平フランジを有し、対向する上記枠部材に連結した梁部材と、上記枠部材と梁部材との接合部の近傍において、上記枠部材の外面に固定される取り付け部を有する吊り部材と、上記枠部材の上記突出片が嵌り込む切り欠きを有すると共に、一端に、上記吊り部材の取り付け部が固定された枠部材の内面に固定される第１フランジを有する一方、上端は、上記梁部材に直接あるいは第２フランジを介して固定される垂直部を有する補強部材とを備えるので、この補強部材によって、上記枠部材と梁部材とを効果的に接続できると共に、上記吊り部材、枠部材および梁部材を効果的に補強できるので、このフレーム構造を用いた冷凍装置が上記吊り部材を介して吊り下げられた場合、上記枠部材等の変形を効果的に防止できる。
【図面の簡単な説明】
【図１】本発明の実施形態の冷凍装置のフレーム構造を示した断面図である。
【図２】冷凍装置のフレーム構造を示す図である。
【図３】図２のＡ−Ａ線における断面図である。
【図４】冷凍装置を吊り上げた様子を示す図である。
【符号の説明】
１  枠部材
１ａ  枠部材の第１水平フランジ
１ｂ  枠部材の垂直ウェブ
１ｃ  枠部材の第２水平フランジ
１ｄ  突出片
２  梁部材
２ａ  水平部
２ｂ  傾斜部
２ｃ  縁部
３  吊り部材
３ａ  吊り部材の取り付け部
３ｂ  吊り部材の突出部
３ｃ  吊り部材の貫通孔
４  補強部材
４ａ  補強部材の第１フランジ
４ｂ  補強部材の垂直部
４ｃ  補強部材の第２フランジ
４ｄ  補強部材の切り欠き
【図１】
2004163035.tif 000003
【図２】
2004163035.tif 000004
【図３】
2004163035.tif 000005
【図４】
2004163035.tif 000006